(57)【要約】  本発明は、基地局がリダイレクション操作を指示する第１のメッセージを端末へ対して送信することと、端末がリダイレクションネットワークにアクセスすることとを含む異種システム間のリダイレクション方法及びシステムを提供する。ここで、第１のメッセージには、無線アクセス技術タイプ、リダイレクションか否かの標識、リダイレクション閾値情報、リダイレクションのセル識別情報、搬送周波数情報、リダイレクション失敗の折返し指示、及びグループ化リダイレクション情報の少なくとも１つが携帯される。本発明によると、関連技術に係わるＨＲＰＤネットワークンにおける移動端末が独自で異種システムネットワークを再選することに伴う問題を解決し、本ネットワークの負荷を軽減し、ネットワークの運用コストを低減して、加入者に対するサービス品質の効果を最大限に確保することができる。
2014512747.tif 000002
【特許請求の範囲】
【請求項１】
異種システム間のリダイレクション方法であって、
基地局がリダイレクション動作を指示する第１のメッセージを端末へ送信すること、
前記端末はリダイレクションネットワークにアクセスすることとを備え、
前記第１のメッセージには、無線アクセス技術の種類、リダイレクションか否かの標識、リダイレクション閾値情報、リダイレクションセル識別情報、搬送周波数情報、リダイレクション失敗の折返し指示、グループ化リダイレクション情報の少なくとも１つが携帯されることを特徴とする異種システム間のリダイレクション方法。
【請求項２】
請求項１に記載の方法であって、前記端末がリダイレクションネットワークにアクセスする前に、前記方法は、さらに、
前記端末は、測定動作を起動し、測定結果がリダイレクション条件を満たすことを決定することを含むことを特徴とする方法。
【請求項３】
請求項２に記載の方法であって、前記端末が測定動作を起動する前に、前記方法は、さらに、
基地局が、前記リダイレクション条件を前記端末へ送信することを含むことを特徴とする方法。
【請求項４】
請求項１に記載の方法であって、基地局が端末へ第１のメッセージを送信する前に、前記方法は、さらに、
基地局が、セル識別情報、搬送周波数情報、信号品質情報、信号強度情報の少なくとも１つを含む測定結果を報告することを指示する第２のメッセージを前記端末へ送信することと、
前記端末は、前記端末の測定結果情報を携帯した第３のメッセージを基地局へ返すことと、
前記基地局は、前記測定結果に従い、前記端末によるリダイレクション動作が必要であると決定することを含むことを特徴とする方法。
【請求項５】
請求項４に記載の方法であって、前記基地局が前記測定結果に従い、前記端末によるリダイレクション動作が必要であると決定することは、
前記基地局が、前記測定結果とネットワークの運用状況に従い、前記端末によるリダイレクション動作が必要であると決定することを含むことを特徴とする方法。
【請求項６】
請求項４に記載の方法であって、前記基地局が前記測定結果に従い、前記端末によるリダイレクション動作が必要であると決定してから、前記方法はさらに、
前記基地局が、前記測定結果に従い、一つ又は複数のリダイレクションセルを選択し、前記第１のメッセージを介し前記一つ又は複数のリダイレクションセルを前記端末へ通知することを含むことを特徴とする方法。
【請求項７】
請求項４〜６のいずれか一項に記載の方法であって、前記第２のメッセージは、他の無線アクセス技術の隣接するセル一覧メッセージと、ルーティング更新要求メッセージとのいずれかであることを特徴とする方法。
【請求項８】
請求項４〜６のいずれか一項に記載の方法であって、前記第３のメッセージは、測定報告メッセージと、ルーティング更新メッセージとのいずれかであることを特徴とする方法。
【請求項９】
請求項４〜６のいずれか一項に記載の方法であって、前記第１のメッセージは、
他の無線アクセス技術の隣接セル一覧メッセージと、無線アクセス技術間リダイレクションメッセージ、及びリダイレクションメッセージのいずれか１つであることを特徴とする方法。
【請求項１０】
請求項１〜６のいずれか一項に記載の方法であって、基地局が端末へ第１のメッセージを送信することは、
前記基地局は、ブロードキャスト又はユニキャスト方式により前記第１のメッセージを送信することを含むことを特徴とする方法。
【請求項１１】
異種システム間のリダイレクションシステムであって、
端末へリダイレクション動作を指示する第１のメッセージを送信する基地局と、
前記第１のメッセージを受信してから、リダイレクションネットワークにアクセスする端末とを含み、
第１のメッセージには、無線アクセス技術の種類、リダイレクションか否かの標識、リダイレクション閾値情報、リダイレクションセル識別情報、搬送周波数情報、リダイレクション失敗の折返し指示、グループ化リダイレクション情報の少なくとも１つが携帯されることを特徴とする異種システム間のリダイレクションシステム。
【請求項１２】
端末であって、
端末によるリダイレクション動作を指示するための基地局からの第１のメッセージを受信するように配置される第１の受信モジュールと、
無線アクセス技術の種類、リダイレクションか否かの標識、リダイレクション閾値情報、リダイレクションセル識別情報、搬送周波数情報、リダイレクション失敗の折返し指示、グループ化リダイレクション情報の少なくとも１つを携帯した第１のメッセージを受信してから、リダイレクションネットワークにアクセスするアクセスモジュールとを含むことを特徴とする端末。
【請求項１３】
請求項１２に記載の端末であって、
端末に、セル識別情報、搬送周波数情報、信号品質情報、信号強度情報の少なくとも１つを含む測定結果を報告させることを指示するための基地局からの第２のメッセージを受信するように配置される第２の受信モジュールと、
前記端末の前記測定結果を携帯した第３のメッセージを基地局へ送信する送信モジュールとを含むことを特徴とする端末。
【発明の詳細な説明】
【技術分野】
【０００１】
本発明は通信分野に関し、具体的には、異種システム間のリダイレクション方法及びシステムに関する。
【背景技術】
【０００２】
現在、符号分割多元接続(Ｃｏｄｅ  Ｄｉｖｉｓｉｏｎ  Ｍｕｌｔｉｐｌｅ  Ａｃｃｅｓｓ、ＣＤＭＡと略称）技術の後継ぎ進化ネットワークと、他の無線アクセス技術のネットワーク、特に、ロングタームエボリューションシステム(Ｌｏｎｇ  Ｔｅｒｍ  Ｅｖｏｌｕｔｉｏｎ、ＬＴＥと略称)ネットワークとの相互運用は無線通信技術発展のある動向である。  ただし、既に商用されているＣＤＭＡネットワークからＬＴＥネットワークに進化することは、１つの複雑な代わり過程である。そして、該代わり過程において長い共存期が存在し、この共存期期間において、この２種類の無線ネットワークは相互接続することになる。
【０００３】
ＣＤＭＡ高速パケットデ−タ(Ｈｉｇｈ  Ｓｐｅｅｄ  Ｐａｃｋｅｔ  Ｄａｔｅ、ＨＲＰＤと略称)システムを例として、ＨＲＰＤネットワークにおける移動端末、特に境界領域における移動端末に対して、ＨＲＰＤネットワークは、端末にネットワークを介して隣接するＬＴＥネットワークにアクセスすることを再選するように指示するメカニズムが備えるべきである。もっとも基本的には、ＨＲＰＤネットワークは共通オーバーヘッドチャネル又は専用トラフィックチャネルを介し、配置された異種システムの隣接セルの情報を端末に対して送信する。端末は、当該情報を受信してから、異種システムのパイロッド測定を独自で行い、隣接セルの情報の中の閾値または優先順位などの制御情報に基づき、隣接する異種システムに切り替えるか否かを独自で決定する。
【０００４】
しかし、上記技術構成要件は、ＨＲＰＤネットワークのニーズを完全に満足することができない。ここでは、ＨＲＰＤとＬＴＥを例として、これについて説明する。なお、ここで説明する課題はＨＲＰＤと他の無線アクセス技術との間の相互運用にも適用する。図１は関連技術に係わるＬＴＥネットワークの配置初期のネットワークを示す図であり、図１に示すように、ＬＴＥネットワークの配置初期において、ＨＲＰＤネットワークがフルカバレッジで、ＬＴＥが局所的なホットポットカバレッジであるため、ＨＲＰＤネットワークの信号強度と信号品質は、常に優れている。この場合、端末自身による測定、及び再選メカニズムに依存すると、端末はいつでもＨＲＰＤネットワークを選択するようになってしまう可能性があり、ＬＴＥネットワークの利用率の低下になってしまう。図２は関連技術に係わるＬＴＥネットワークが大規模に配置されるネットワークを示す図である。図２に示すように、ＬＴＥネットワークが大規模に配置されることにつれて、ＬＴＥネットワークのカバレッジはＨＲＰＤネットワークのカバレッジより大きくなっている。この場合、省エネルギー等の考慮から、ＨＲＰＤネットワークの加入者量が少ない場合、オペレータは、ＨＲＰＤ基地局をオフにして、該ＨＲＰＤ基地局の加入者をＬＴＥネットワークへとリダイレクションすることを希望する場合がある。しかし、この場合、端末による測定、及び再選メカニズムに依存すると、端末はやはりいつでもＨＲＰＤネットワークを選択する可能性がある。また、ＨＲＰＤネットワークの負荷が大きすぎると、ネットワークは、一部の端末をＬＴＥシステムへとリダイレクションしようとする場合や、例えば高帯域幅が必要とされるビデオサービスなどのような端末のあるタイプのアプリケーションに対して、高帯域幅のＬＴＥネットワークを介し品質のより高いサービスを提供しようとする場合などがある。しかし、従来の端末による測定や再選のメカニズムのみに依存すれば、上記ニーズを満たすことができない。
【発明の概要】
【発明が解決しようとする課題】
【０００５】
本発明は、少なくとも関連技術に係わるＨＲＰＤネットワークにおける端末自身による異種システムのネットワーク再選に伴う問題を解決する異種システム間のリダイレクション方法を提供することを主な目的とする。
【課題を解決するための手段】
【０００６】
本発明の一つの方面によると、基地局がリダイレクション操作を指示する旨の第１のメッセージを端末に対して送信することと、端末がリダイレクションネットワークにアクセスすることとを含む異種システム間のリダイレクション方法を提供する。その中、第１のメッセージには、無線アクセス技術の種類、リダイレクションか否かの標識、リダイレクション閾値情報、リダイレクションのセル識別情報、搬送周波数情報、リダイレクション失敗の折返し指示、及びグループ化リダイレクション情報の少なくとも１つを携帯する。
【０００７】
端末がリダイレクションネットワークにアクセスする前に、上記方法は、端末が測定動作を起動し、測定の結果がリダイレクション条件を満たすことを決定することとをさらに含むことが好ましい。
【０００８】
端末が測定動作を起動する前に、上記方法には、基地局がリダイレクション条件を端末へ送信することをさらに含むことが好ましい。
【０００９】
基地局が端末へ第１のメッセージを送信する前に、上記方法は、基地局が、セル識別情報と、搬送周波数情報、信号品質情報、及び信号強度情報の少なくとも１つを含む測定結果を報告することを指示する第２のメッセージを端末へ送信することと、端末が基地局へ測定結果を携帯した第３のメッセージを返すことと、基地局が測定結果に従い端末によるリダイレクション動作が必要であると決定することとを含むことが好ましい。
【００１０】
基地局が測定結果に従い、端末によるリダイレクション動作が必要であると決定するは、基地局が測定結果とネットワーク運用状況により端末によるとリダイレクション動作が必要であると決定することを含むことが好ましい。
【００１１】
基地局が測定結果に従い、端末によるリダイレクション動作が必要であると決定してから、上記方法は、基地局が測定結果により一つ又は複数のリダイレクションセルを選択し、第１のメッセージを介し一つ又は複数のリダイレクションセルを端末へ通知することをさらに含むことが好ましい。
【００１２】
第２のメッセージは、その他の無線アクセス技術の隣接セル一覧メッセージと、ルーティング更新要求メッセージのいずれか１つであることが好ましい。
【００１３】
第３のメッセージは、測定報告メッセージと、ルーティング更新メッセージのいずれか１つであることが好ましい。
【００１４】
第１のメッセージは、その他の無線アクセス技術の隣接セル一覧メッセージと、無線アクセス技術間リダイレクションメッセージ、及びリダイレクションメッセージのいずれか１つであることが好ましい。
【００１５】
基地局が端末へ第１のメッセージを送信することは、基地局がブロードキャスト又はユニキャスト方式により第１のメッセージを送信することを含むことが好ましい。
【００１６】
本発明のもう一つの方面によると、リダイレクション動作を指示する第１のメッセージを端末へ送信するように配置される基地局と、第１のメッセージを受信してから、リダイレクションネットワークにアクセスするように配置される端末とを含む異種システム間のリダイレクションシステムを提供している。
【００１７】
本発明のさらの一つの方面によると、基地局からの、リダイレクション操作を指示するための第１のメッセージを受信するように配置される第１の受信モジュールと、第１のメッセージを受信してからリダイレクションネットワークにアクセスするように配置されるアクセスモジュールとを含む端末を提供する。その中、第１のメッセージには、無線アクセス技術の種類、リダイレクションか否かの標識、リダイレクション閾値情報、リダイレクションのセル識別情報、搬送周波数情報、リダイレクション失敗の折返し指示、及びグループ化リダイレクション情報の少なくとも１つが携帯される。当該端末は、多種類のモードをサポートすることができる。
【００１８】
当該端末は、基地局からの、端末に測定結果を報告することを指示する第２のメッセージを受信する第２の受信モジュールと、セル識別情報と、搬送周波数情報、信号品質情報、及び信号強度情報の少なくとも１つを含む測定結果を携帯した第３のメッセージを基地局へ送信する送信モジュールとを含むことが好ましい。
【００１９】
本発明によると、基地局が端末に対して異種システムのリダイレクションを指示することにより、関連技術に係わるＨＲＰＤネットワークンにおける移動端末の自身による異種システムネットワーク再選に伴う問題を解決し、本ネットワークの負荷を軽減し、ネットワークの運用コストを低減して、加入者に対するサービス品質の効果を最大限に確保することができる。
【図面の簡単な説明】
【００２０】
以下に記載の図面は、本発明をさらに理解するために提供され、本願の一部を構成し、本発明の好適の実施例及びその説明は本発明を解釈するものであり、本発明を限定するものではない。
【図１】図１は関連技術に係わるＬＴＥネットワークの配置初期のネットワークを示す図である。
【図２】図２は関連技術に係わるＬＴＥネットワークが大規模に配置される場合のネットワークを示す図である
【図３】図３は本発明の実施例に係わる異種システム間のリダイレクション方法を示すフローチャート図である。
【図４】図４は本発明の実施例に係わる端末補助ネットワーク制御のリダイレクション方法を示す図である。
【図５】図５は本発明の実施例に係わるネットワーク補助端末制御のリダイレクション方法を示す図である。
【図６】図６は本発明の実施例に係わる端末補助ネットワーク制御のリダイレクションを示すフローチャート図である。
【図７】図７は本発明の実施例に係わるネットワーク補助端末制御のリダイレクションを示すフローチャート図である。
【図８】図８は本発明の実施例に係わる異種システム間のリダイレクションシステムの構造を示すブロック図である。
【発明を実施するための形態】
【００２１】
以下、図面を参照し、実施例を結び合わせて、本発明を詳しく説明する。なお、本願の実施例および実施例の特徴は、衝突がない場合には、互いに組み合わせることが可能である。
【００２２】
方法実施例
本発明の実施例は、例えば、ＨＲＰＤとＬＴＥの相互運用のような、ＨＲＰＤと他の無線アクセス技術との間の相互運用の場合に適用する異種システム間のリダイレクション方法を提供する。
【００２３】
図３は本発明の実施例に係わる異種システム間のリダイレクション方法を示すフローチャート図であり、図３に示すように、当該方法は以下のようなステップＳ３０２〜ステップＳ３０４を含む。
【００２４】
ステップＳ３０２において、基地局はリダイレクション動作を指示する第１のメッセージを端末へ送信する。
【００２５】
ステップＳ３０４、端末はリダイレクションネットワークにアクセスする。
【００２６】
本実施例において、基地局が端末にリダイレクション動作を指示することで、端末独自による異種システムのネットワーク再選に伴う一連の問題を回避することができる。例えば、ＨＲＰＤネットワークの負荷が高い場合に基地局が移動端末にリダイレクションを指示することで、本ネットワークの負荷を軽減し、加入者のサービス品質を確保することができる。
【００２７】
本発明の実施例のある好適な実現方式において、端末が第１のメッセージにレスポンスし、測定動作を起動して、測定結果がリダイレクション条件を満たす場合、端末がリダイレクションネットワークにアクセスする。本実施例において、端末が測定結果に基づき、さらにリダイレクションするべきか否かを判断して、より安定なネットワークのリダイレクションが図られる。 
【００２８】
その中、基地局が第１のメッセージを介し端末へリダイレクションメッセージを送信するというように、基地局が上記リダイレクション条件を端末へ送信する。
【００２９】
本発明の実施例のもう１つの好適な実現方式において、基地局が端末へ第１のメッセージを送信する前に、さらに以下の動作をする。すなわち、基地局が、測定結果を報告することを指示する第２のメッセージを端末へ送信し、端末が基地局により要求された測定結果を携帯した第３のメッセージを基地局へ返して、基地局が当該測定結果に従い端末によるリダイレクション動作をする必要があると決定する。
【００３０】
基地局が当該測定結果に従い、端末によるリダイレクション動作をする必要があると決定することは、基地局が当該測定結果とネットワーク運用状況により端末によるリダイレクション動作をする必要があると決定することを含むことが好ましい。ネットワークの運用状況は、ネットワーク負荷、端末に提供するサービスの種類など要素である。
【００３１】
基地局が当該測定結果に従い、端末によるリダイレクション動作をする必要があると決定してから、当該測定結果により一つ又は複数のリダイレクションセルを選択し、そして、端末によるリダイレクションに供するため、第１のメッセージを介し当該一つ又は複数のリダイレクションセルを端末へ通知することをさらに行うことが好ましい。
【００３２】
第２のメッセージは、その他の無線アクセス技術の隣接セル一覧メッセージ、又はルーティング更新要求メッセージであってもよい。
【００３３】
第３のメッセージは、測定報告メッセージ、又はルーティング更新メッセージであってもよい。
【００３４】
上記測定結果には、セル識別情報、搬送周波数情報、信号品質情報、信号強度情報の少なくとも１つを含むことができる。
【００３５】
第１のメッセージは、その他の無線アクセス技術の隣接セル一覧メッセージと、無線アクセス技術間リダイレクションメッセージ、及びリダイレクションメッセージのいずれか１つであることが好ましい。
【００３６】
第１のメッセージには、無線アクセス技術の種類、リダイレクションか否かの標識、リダイレクション閾値情報、リダイレクションセル識別情報、搬送周波数情報、リダイレクション失敗の折返し指示、グループ化リダイレクション情報の少なくとも１つが携帯されることが好ましい。
【００３７】
基地局が端末へ第１のメッセージを送信することは、基地局がブロードキャスト又はユニキャスト方式により第１のメッセージを送信することを含む。
【００３８】
方法実施例１
本発明の実施例によると、端末補助ネットワーク制御のリダイレクション方法を提供する。図４は本発明の実施例に係わるリダイレクション方法を示すフローチャート図であり、図４に示すように、当該方法は以下のようなステップＳ４０２〜ステップＳ４０６を含む。
【００３９】
ステップＳ４０２において、基地局は、測定結果を報告させる指示情報を携帯した第２のメッセージを端末へ送信する。
【００４０】
ステップＳ４０４において、端末は、測定結果情報を携帯した第３のメッセージを基地局へ送信する。
【００４１】
ステップＳ４０６において、基地局は、リダイレクションするための情報を携帯した第１のメッセージを端末へ送信する。
【００４２】
それから、端末はリダイレクション動作を行う。
【００４３】
方法実施例２
本発明の実施例によると、補助端末ネットワーク制御のリダイレクション方法を提供する。図５は本発明の実施例に係わるリダイレクション方法のフローチャート図であり、図５に示すように、当該方法は以下のようなステップＳ５０２〜ステップＳ５０４を含む。
【００４４】
ステップＳ５０２において、基地局は、リダイレクション動作をさせるためのリダイレクションシステム情報を携帯した第１のメッセージを端末へ送信する。
【００４５】
ステップＳ５０４において、端末は、基地局からの第１のメッセージを受信し、測定動作を起動して、測定結果が基地局に要求されたリダイレクション閾値を満たす場合、対応するシステム(即ち、リダイレクションネットワーク)にアクセスする。
【００４６】
実例１
本実施例において、ＨＲＰＤシステムが、移動端末に対して、ＬＴＥシステムへとリダイレクションすることを指示することを例として、説明する。ただし、本実施例はこれに限らない。本実施例に含まれる内容及び実施形態は、ＨＲＰＤシステムが他の無線アクセス技術システムに対してリダイレクションを指示する場合にも適用する。
【００４７】
図６は本発明の実施例１に係わるＨＲＰＤシステムの端末補助ネットワーク制御に基づいたリダイレクションを示すフローチャート図であり、図６に示すように、当該方法は以下のようなステップＳ６０２〜ステップＳ６１２を含む。
【００４８】
ステップＳ６０２において、移動端末がＨＲＰＤシステムに位置し、且つアイドル又は接続状態にある。
【００４９】
ステップＳ６０４において、移動端末は、ＨＲＰＤシステムとＬＴＥシステムとのカバレッジが重なっている領域へ移動する。
【００５０】
ステップＳ６０６において、ＨＲＰＤシステムは、現在システムの負荷又は端末のサービス種類などの情報により、当該端末に対するリダイレクションを行うことを希望する。基地局は、端末へその他の無線アクセス技術の隣接セル一覧メッセージを送信する。当該メッセージには、端末に測定結果を報告させる指示情報を含み、さらに、例えば搬送周波数情報、閾値情報等の端末により測定したいネットワーク情報を含む。ただし、本ステップにおいて、基地局は、端末に対して、例えばルーティング更新要求メッセージなどのような他の同様な内容を携帯したメッセージを送信してもよい。
【００５１】
ステップＳ６０８において、端末は、測定結果を報告する指示を含むメッセージを受信してから、測定動作を起動し、測定結果を基地局へ報告する。当該測定結果には、セクタ情報、搬送周波数情報、信号強度情報、及び信号品質情報等の少なくとも１つを含む。
【００５２】
ステップＳ６１０において、基地局は、端末により報告された測定結果を含むメッセージを受信してから、信号強度、信号品質、セクタ負荷、端末サービス種類等情報の一つ又はそれらの組み合わせを総合的に考慮して、リダイレクション先のセクタを選択する。端末が複数のセクタを報告した場合、基地局は、これらのセクタを優先順位で配列し、リダイレクションするためのメッセージを介し選択されたリダイレクション先のセクタを端末へ送信する。
【００５３】
ステップＳ６１２において、端末はＬＴＥシステムへとリダイレクションする。端末が接続状態にある場合、ＬＴＥシステムへとリダイレクションする前に、リリースメッセージをＨＲＰＤシステムへ送信することができる。即ち、端末がリダイレクションネットワーク(ＬＴＥネットワーク)にアクセスする前に、まず、リリースメッセージを現在の基地局へ送信することができる。
【００５４】
実例２
本実施例において、ＨＲＰＤシステムが、移動端末に対して、ＬＴＥシステムへとリダイレクションすることを指示することを例として、説明する。ただし、本実施例はこれに限らない。本実施例に含まれる内容及び実施形態は、ＨＲＰＤシステムが他の無線アクセス技術システムに対してリダイレクションを指示する場合にも適用する。
【００５５】
図７は本発明の実施例２に係わるＨＲＰＤシステムのネットワーク補助端末制御に基づいたリダイレクションを示すフローチャート図であり、図７に示すように、当該方法は以下のようなステップＳ７０２〜ステップＳ７０８を含む。
【００５６】
ステップＳ７０２において、移動端末がＨＲＰＤシステムに位置し、且つアイドル又は接続状態にある。
【００５７】
ステップＳ７０４において、移動端末がＨＲＰＤシステムとＬＴＥシステムとのカバレッジが重なっている領域へ移動する。
【００５８】
ステップＳ７０６において、ＨＲＰＤシステムは、現在システムの負荷又は端末のサービス種類などの情報により、当該端末に対するリダイレクションを行うことを希望する。基地局は、端末へ他の無線アクセス技術の隣接セル一覧メッセージを送信する。当該メッセージには、端末にリダイレクションさせる指示情報を含み、さらに、例えば搬送周波数情報、閾値情報等の端末により測定したいネットワーク情報を含む。ただし、本ステップにおいて、基地局は、端末に対して、例えばルーティング更新要求メッセージなどのような他の同様な内容が携帯されるメッセージを送信してもよい。
【００５９】
ステップＳ７０８において、端末は、リダイレクション指示を含むメッセージ受信してから、測定動作を起動して、測定結果が基地局に要求されたリダイレクション閾値(即ちリダイレクション条件)を満たす場合、リダイレクションネットワークにアクセスする。端末は、接続状態にある場合、ＬＴＥシステムへとリダイレクションする前に、リリースメッセージをＨＲＰＤシステムへ送信することができる。即ち、端末がリダイレクションネットワーク(ＬＴＥネットワーク)にアクセスする前に、まず、リリースメッセージを現在の基地局へ送信することができる。
【００６０】
システム実施例
本発明の実施例によると、上記方法を実現するための異種システム間のリダイレクションシステムを提供する。
【００６１】
図８は本発明の実施例に係わる異種システム間のリダイレクションシステムの構造を示すブロック図である。図8に示すように、当該システムは、リダイレクション動作を指示する第１のメッセージを端末へ送信する基地局８２と、基地局８２にカップリングし、第１のメッセージを受信してから、リダイレクションネットワークにアクセスする端末８４とを含む。
【００６２】
本発明の実施例のある好適な実例において、端末８４は、リダイレクションネットワークにアクセスする前に、測定動作を起動し、測定の結果がリダイレクション条件を満たすことを決定するように配置されてもよい。。
【００６３】
基地局８２は、上記リダイレクション条件を端末８４へ送信するように配置されることが好ましい。
【００６４】
本発明の実施例のもう１つの好適な実例において、基地局８２が、測定結果を報告することを指示する第２のメッセージを端末８４へ送信する。端末８４が端末８４の測定結果を携帯した第３のメッセージを基地局８２へ返する。基地局８２が当該測定結果に従い端末８４によるリダイレクション動作が必要であると決定し、そして、端末へ第１のメッセージを送信する。
【００６５】
基地局８２は、さらに当該測定結果とネットワークの運用状況に基づき、端末８４によるリダイレクション動作が必要であると決定するように配置されることが好ましい。ここで、ネットワークの運用状況が、ネットワーク負荷や端末へ提供するサービスの種類などの要素であることができる。
【００６６】
基地局８２は、さらに当該測定結果に従い、端末８４によるリダイレクション動作が必要であると決定してから、測定結果により一つ又は複数のリダイレクションセルを選択し、第１のメッセージを介し一つ又は複数のリダイレクションセルを端末８４へ通知するように配置されることが好ましい。
【００６７】
第２のメッセージは、その他の無線アクセス技術の隣接セル一覧メッセージ、又はルーティング更新要求メッセージであってもよい。
【００６８】
第３のメッセージは、測定報告メッセージ、又はルーティング更新メッセージであってもよい。
【００６９】
上記測定結果は、セル識別情報、搬送周波数情報、信号品質情報、信号強度情報の少なくとも１つを含むことができる。
【００７０】
第１のメッセージは、他の無線アクセス技術の隣接セル一覧メッセージと、無線アクセス技術間リダイレクションメッセージ、及びリダイレクションメッセージのいずれか１つであることが好ましい。
【００７１】
第１のメッセージには、無線アクセス技術の種類、リダイレクションか否かの標識、リダイレクション閾値情報、リダイレクションセル識別情報、搬送周波数情報、リダイレクション失敗の折返し指示、グループ化リダイレクション情報の少なくとも１つが携帯されることが好ましい。
【００７２】
基地局８２は、さらに、ブロードキャスト又はユニキャスト方式により端末８４へ第１のメッセージを送信するように配置される。
【００７３】
本発明の実施例のもう一つの好適な実例において、端末８４の機能を実現できる端末をさらに提供する。当該端末は、多種類のモードをサポートすることができる。上記端末は、基地局からの、リダイレクション操作を指示するための第１のメッセージを受信するように配置される第１の受信モジュールと、第１のメッセージを受信してからリダイレクションネットワークにアクセスするように配置されるアクセスモジュールとを含む。その中、第１のメッセージには、無線アクセス技術の種類、リダイレクションか否かの標識、リダイレクション閾値情報、リダイレクションのセル識別情報、搬送周波数情報、リダイレクション失敗の折返し指示、及びグループ化リダイレクション情報の少なくとも１つが携帯される。当該端末は、多種類のモードをサポートすることができる。
【００７４】
当該端末には、基地局からの、端末に測定結果を報告することを指示する第２のメッセージを受信する第２の受信モジュールと、セル識別情報と、搬送周波数情報、信号品質情報、及び信号強度情報の少なくとも１つを含む測定結果を携帯した第３のメッセージを基地局へ送信する送信モジュールとを含むことが好ましい。
【００７５】
上述のように、本発明の上記実施例によると、ＨＲＰＤネットワークは、本ネットワークにおける一部の移動端末を他のネットワークへとリダイレクションさせることができるようになり、本ネットワークの負荷を軽減できる一方、一部のサービスの種類に対して、端末が他の無線アクセス技術ネットワークにおいてより高い品質のサービスを得ることが可能となる。
【００７６】
言うまでもなく、上述した本発明の各モジュールまたはステップは、汎用のコンピュータ装置により実現することができ、単一のコンピュータ装置に集成してもよいし、複数のコンピュータ装置からなるネットワークに配置してもよい。また、コンピュータ装置が実行可能なプログラムコードにより実現されてもよい。これにより、記憶装置に記憶されてコンピュータ装置により実行されることができる。或いは、それぞれ各々の集積回路モジュールに作成したり、それらの中の複数のモジュールまたはステップを単一の集積回路モジュールに作成したりして実現することができる。このように、本発明は、いずれの特定のハードウェアとソフトウェアの組み合わせにも限定されない。このように、本発明は、いずれの特定のハードウェアとソフトウェアの組み合わせにも限定されない。
【００７７】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【符号の説明】
【００７８】
８２  基地局
８４  端末
【図１】
2014512747.tif 000003
【図２】
2014512747.tif 000004
【図３】
2014512747.tif 000005
【図４】
2014512747.tif 000006
【図５】
2014512747.tif 000007
【図６】
2014512747.tif 000008
【図７】
2014512747.tif 000009
【図８】
2014512747.tif 000010
【国際調査報告】
2014512747.tif 000011
2014512747.tif 000012
2014512747.tif 000013
2014512747.tif 000014